(57)【要約】【課題】電子機器において、２つの機器構成部品を保持すべき第１保持部材と第２保持部材からなる受け止め構造を簡易化する。【解決手段】本発明に係る電子機器は、筐体の外部から加わる押圧力が作用する位置に配備された２つの機器構成部品４、５と、各機器構成部品を背面側から保持する２つの保持部材８、９と、該２つの保持部材の背面側に配備されて該２つの保持部材に作用する力を受け止める受け止め部７２とを具え、一方の保持部材８には、他方の保持部材９の端部９２に向けて突出する突片８１が形成され、突片８１が受け止め部７２によって受け止められると共に、突片８１上に他方の保持部材９の端部９２が載置されて、該端部９２が突片８１を介して受け止め部７２によって受け止められている。【選択図】図２
2012023437.tif 000002
【特許請求の範囲】
【請求項１】
筐体と、筐体の外部から加わる押圧力が作用する位置に配備された２つの機器構成部品と、各機器構成部品の背面側にそれぞれ配備されて各機器構成部品を保持する２つの保持部材と、該２つの保持部材の背面側に配備されて該２つの保持部材に作用する力を受け止める受け止め部とを具えた電子機器において、
前記２つの保持部材の内、何れか一方の保持部材には、他方の保持部材の端部に向けて突出する突片が形成され、該突片が前記受け止め部によって受け止められると共に、該突片上に前記他方の保持部材の端部が載置されて、該端部が前記突片を介して前記受け止め部によって受け止められていることを特徴とする電子機器。
【請求項２】
前記２つの保持部材はそれぞれ板金製であって、前記一方の保持部材に形成された突片は、該保持部材の平板部に直交して形成された屈曲部の先端部分によって形成され、前記他方の保持部材の端部は、該保持部材の平板部の端縁部分によって形成されている請求項１に記載の電子機器。
【請求項３】
前記２つの機器構成部品は、ディスプレイユニットと操作釦装置である請求項１又は請求項２に記載の電子機器。
【請求項４】
前記受け止め部は、筐体の内部に支持された回路基板の表面に形成されている請求項１乃至請求項３の何れかに記載の電子機器。
【発明の詳細な説明】
【技術分野】
【０００１】
本発明は、デジタルカメラ等の電子機器に関し、具体的には、筐体の外部から加わる押圧力が作用する位置に配備された２つの機器構成部品を受け止める受け止め構造を具えた電子機器に関するものである。
【背景技術】
【０００２】
従来、この種の電子機器においては、例えば図５に示す如くフロントキャビネット(20)とバックキャビネット(30)からなる筐体(10)の表面から露出させて、液晶ディスプレイ(40)や操作釦(50)が配備されており、液晶ディスプレイ(40)を含むディスプレイユニットは板金製の第１保持部材(80)によって保持されると共に、操作釦(50)を含む操作釦装置は板金製の第２保持部材(90)によって保持されている。
【０００３】
そして、第１保持部材(80)と第２保持部材(90)にはそれぞれ屈曲片(83)(93)が形成されて、これらの屈曲片(83)(93)の先端が、筐体(10)の内部に支持された回路基板(70)の表面に当接して、両保持部材(80)(90)に作用する力の一部が回路基板(70)によって受け止められている。
【０００４】
又、上述の第１保持部材(80)と第２保持部材(90)を一体化し、一体化された保持部材を、筐体を構成するバックキャビネットに連結して、該保持部材に作用する力をバックキャビネットによって受け止める受け止め構造が提案されている(特許文献１)。
【先行技術文献】
【特許文献】
【０００５】
【特許文献１】特開２００６−２４６０７４号公報
【発明の概要】
【発明が解決しようとする課題】
【０００６】
しかしながら、図５に示す構成においては、第１保持部材(80)と第２保持部材(90)の両方に屈曲片(83)(93)を形成せねばならないため、受け止め構造が複雑となり、これによって製造工程が複雑になる問題があった。
又、第１保持部材(80)と第２保持部材(90)を一体化して、一体化された保持部材をバックキャビネットによって支持する受け止め構造においては、組立工程において、保持部材を組み付けることによってディスプレイユニットと操作釦装置の両方が保持部材により同時に覆われてしまうため、例えばディスプレイユニットを回路基板に接続する作業を終了させた後に、保持部材を組み付ける必要があり、これによって作業が煩雑となる問題があった。
又、保持部材を組み付けた後にディスプレイユニットと回路基板との接続作業を可能にするためには、保持部材に大きな穴を設ける必要があり、これによって受け止め構造の強度が不足する問題が生じる虞がある。
【０００７】
そこで本発明の目的は、デジタルカメラ等の電子機器において、ディスプレイユニットや操作釦装置等の機器構成部品を保持すべき第１保持部材と第２保持部材からなる受け止め構造を簡易化することである。
【課題を解決するための手段】
【０００８】
本発明に係る電子機器は、筐体と、筐体の外部から加わる押圧力が作用する位置に配備された２つの機器構成部品と、各機器構成部品の背面側にそれぞれ配備されて各機器構成部品を保持する２つの保持部材と、該２つの保持部材の背面側に配備されて該２つの保持部材に作用する力を受け止める受け止め部とを具えている。
ここで、前記２つの保持部材の内、何れか一方の保持部材には、他方の保持部材の端部に向けて突出する突片が形成され、該突片が前記受け止め部によって直接に受け止められると共に、該突片上に前記他方の保持部材の端部が載置されて、該端部が前記突片を介して前記受け止め部によって受け止められている。
【０００９】
本発明に係る電子機器において、２つの機器構成部品の内、前記突片が形成された一方の保持部材によって保持されている機器構成部品が、筐体の表面側から押圧された場合、その押圧力は、該一方の保持部材によって受け止められ、該保持部材に作用する力の一部は、突片を介して、前記受け止め部に作用し、該受け止め部よって受け止められる。
又、他方の保持部材によって保持されている機器構成部品が、筐体の表面側から押圧された場合、その押圧力は、該他方の保持部材によって受け止められ、該保持部材に作用する力の一部は、前記一方の保持部材の突片に作用し、該突片に作用する力は、更に前記受け止め部に作用し、該受け止め部によって受け止められる。
【００１０】
具体的態様において、前記２つの保持部材はそれぞれ板金製であって、前記一方の保持部材に形成された突片は、該保持部材の平板部に直交して形成された屈曲部の先端部分によって形成され、前記他方の保持部材の端部は、該保持部材の平板部の端縁部分によって形成されている。
該具体的態様によれば、一方の保持部材に形成された突片は、該保持部材の平板部に直交しているので、保持部材の平板部に直交する方向の押圧力に対して大きな耐力を発揮する。
【発明の効果】
【００１１】
本発明に係る電子機器によれば、受け止め構造を構成する第１保持部材と第２保持部材の内、何れか一方の保持部材にのみ突片を形成すればよいので、受け止め構造が簡易化される。
【図面の簡単な説明】
【００１２】
【図１】図１は、本発明の一実施形態であるデジタルカメラの斜視図である。
【図２】図２は、図１のＡ−Ａ線に沿う拡大断面図である。
【図３】図３は、該デジタルカメラの分解斜視図である。
【図４】図４は、該デジタルカメラの要部を示す拡大斜視図である。
【図５】図５は、従来のデジタルカメラの拡大断面図である。
【発明を実施するための形態】
【００１３】
以下、本発明をデジタルカメラに実施した形態につき、図面に沿って具体的に説明する。
本発明の一実施形態であるデジタルカメラは、図１に示す如く、フロントキャビネット(２)とバックキャビネット(３)から筐体(１)を構成し、フロントキャビネット(２)の上面にはシャッター釦(６)が配備されている。又、バックキャビネット(３)の表面には、液晶ディスプレイ(４)の画面が露出すると共に、複数の操作釦(５)が配備されている。
【００１４】
図３に示す如く、フロントキャビネット(２)の内面には、複数の電子部品(71)やコネクター(73)が実装された回路基板(７)が配備され、該回路基板(７)は、図２に示す様に、フロントキャビネット(２)の内面に突設された複数本のボス(21)によって一定位置に支持されている。
【００１５】
図３に示す如く、フロントキャビネット(２)とバックキャビネット(３)の間には、液晶ディスプレイ(４)が配備され、バックキャビネット(３)の開口(31)からその画面を露出させている。
液晶ディスプレイ(４)は、その周囲のフレームやフレキシブルリードと共にディスプレイユニットを構成し、該ディスプレイユニットは板金製の第１保持部材(８)によって保持されている。
【００１６】
又、複数の操作釦(５)は、複数のドームスイッチが形成されたドームスイッチシート(91)と共に操作釦ユニットを構成しており、該操作釦ユニットは、板金製の第２保持部材(９)によって保持されている。
【００１７】
第１保持部材(８)と第２保持部材(９)は、同一平面上に並置され、第１保持部材(８)には、第２保持部材(９)側の端部に、第１保持部材(８)の平板部に対して直交する２つの屈曲部(82)(82)が形成され、各屈曲部(82)の先端部分には、第２保持部材(９)側へ突出する突片(81)が形成されている。斯くして、第１保持部材(８)の突片(81)は、第１保持部材(８)の平板部と直交して、第２保持部材(９)の裏面側へ突出している。
【００１８】
第２保持部材(９)には、その平板部の第１保持部材(８)側の端縁部分に、前記２つの突片(81)(81)上に載置されるべき２つの端部(92)(92)が設けられている。斯くして、第２保持部材(９)の端部(92)は、第２保持部材(９)の平板部の一部領域によって形成されている。
【００１９】
第１保持部材(８)は、第２保持部材(９)と隣接する辺以外の３辺にて、フロントキャビネット(２)側の複数の支持部と係合し、第２保持部材(９)は、第１保持部材(８)と隣接する辺を除く３辺にてフロントキャビネット(２)側の複数の支持部と係合している。
そして、図４の如く、第１保持部材(８)の各突片(81)上に、第２保持部材(９)の各端部(92)が載置されている。
【００２０】
図３に示す様に、回路基板(７)の表面には、第１保持部材(８)の２つの突片(81)(81)が当接すべき２つの受け止め部(72)(72)が形成されている。該受け止め部(72)には、電子部品は配備されていない。
【００２１】
図２に示す様に、第１保持部材(８)の突片(81)は、その上端面に第２保持部材(９)の端部(92)が載置されると共に、その下端面が回路基板(７)の受け止め部(72)に当接している。
従って、液晶ディスプレイ(４)の表面に押圧力が作用した場合、その押圧力は、第１保持部材(８)によって受け止められ、第１保持部材(８)に作用する力の一部は、突片(81)を介して、回路基板(７)の受け止め部(72)に作用し、該受け止め部(72)によって受け止められる。
【００２２】
又、操作釦(５)が押圧操作された場合、その押圧力は、第２保持部材(９)によって受け止められ、第２保持部材(９)に作用する力の一部は、第１保持部材(８)の突片(81)に作用し、該突片(81)に作用する力は、更に回路基板(７)の受け止め部(72)に作用し、該受け止め部(72)によって受け止められる。
【００２３】
従って、例えばデジタルカメラを鞄の中に容れて携帯している過程で、液晶ディスプレイ(４)の表面が他の物体によって押圧されたとしても、該押圧力は最終的に回路基板(７)の受け止め部(72)によって受け止められるので、第１保持部材(８)は平板状態を維持し、これによってディスプレイユニットの破損が防止される。
又、操作釦(５)が過度な力が押圧されたとしても、該押圧力は最終的に回路基板(７)の受け止め部(72)によって受け止められるので、第２保持部材(９)は平板状態を維持し、これによって操作釦装置の破損が防止される。
【００２４】
本発明の一実施形態であるデジタルカメラによれば、第１保持部材(８)と第２保持部材(９)の内、第１保持部材(８)にのみ突片(81)を形成し、第２保持部材(９)には、突片を形成することなく、単に第１保持部材(８)の突片(81)に載置されるべき端部(92)を確保しただけの簡易な構成で、液晶ディスプレイ(４)や操作釦(５)に作用する押圧力を確実に受け止めることが出来る。
従って、従来の様に第１保持部材(８)と第２保持部材(９)の両方に突片を形成する構成に比べて、第１保持部材(８)と第２保持部材(９)からなる受け止め構造が簡易となり、その製造工程も簡易化される。
【００２５】
然も、回路基板(７)の表面には、第１保持部材(８)の突片(81)(81)が当接すべき受け止め部(72)を形成するだけでよく、従来の様に第２保持部材(９)の端部が当接すべき受け止め部を形成する必要がないので、回路基板(７)の表面には十分な部品実装面積を確保することが出来る。
【００２６】
更に又、第１保持部材(８)と第２保持部材(９)とが別体に形成されているので、両保持部材(８)(９)の間にギャップを設けることが可能であり、該ギャップを通じて、例えば液晶ディスプレイ(４)から引き出されたフレキシブルリードを回路基板(７)上のコネクター(73)に接続することが出来る。これによって、組立工程が簡易化される。
【００２７】
尚、本発明の各部構成は上記実施の形態に限らず、特許請求の範囲に記載の技術的範囲内で種々の変形が可能である。例えば、第１保持部材(８)の突片(81)を省略して、第２保持部材(９)に突片を形成することも可能である。又、突片(81)の数は、２つに限らず、１つ若しくは３以上の複数であってもよい。更に、１つの保持部材が保持すべき機器構成部品は１つに限られるのではなく、複数を保持するものも特許請求の範囲に含まれる。
更に又、機器構成部品は、筐体の表面に露出させて配備されたものに限らず、電子機器の使用や持ち運びにおいて筐体の外部から加わる押圧力が作用する位置、例えば筐体の表面近傍に配備されたものであってもよい。
【符号の説明】
【００２８】
(１)  筐体
(２)  フロントキャビネット
(３)  バックキャビネット
(４)  液晶ディスプレイ
(５)  操作釦
(７)  回路基板
(72)  受け止め部
(８)  第１保持部材
(81)  突片
(82)  屈曲部
(９)  第２保持部材
(92)  端部
【図１】
2012023437.tif 000003
【図２】
2012023437.tif 000004
【図３】
2012023437.tif 000005
【図４】
2012023437.tif 000006
【図５】
2012023437.tif 000007